(57)【特許請求の範囲】
【請求項１】
少なくとも便名、出発日時、出発空港、行き先空港、現時点における空席数を記録した航空券の在庫情報を格納しておく航空券在庫記憶手段と、
各航空便の出発時点における空席確率を格納しておく空席確率記憶手段と、
ユーザの操作するクライアント端末に、少なくとも出発空港、複数の許容行き先空港、出発日、人数を検索条件として指定するための検索条件指定画面を送信する手段と、
クライアント端末から検索条件が送信された場合に、上記航空券在庫記憶手段及び空席確率記憶手段を参照して、ユーザが指定した出発空港、許容行き先空港及び出発日の条件にマッチすると共に、現時点で指定人数分の空席が存在し、かつ、出発日における空席確率が所定値以上の航空便を、往路航空便候補として抽出する航空便候補抽出手段と、
各往路航空便候補の価格を算定する価格算定手段と、
許容行き先空港単位でそれぞれの往路航空便候補が記載されると共に、それぞれの価格が記載された検索結果画面をクライアント端末に送信する手段と、
この検索結果画面上で申込が選択された場合に、各往路航空便候補、出発日、価格を少なくとも含む申込情報を申込情報記憶手段に格納する手段と、
を備えた空席販売システムであって、
上記価格算定手段は、少なくとも各往路航空便候補の所定の確定日における通常価格を所定の算定式に代入することによって上記の価格を算定するものとし、
この際、ユーザが指定した許容行き先空港の数が多いほど価格が安くなり、ユーザが指定した許容行き先空港の数が少ないほど価格が高くなる算定式が用いられることを特徴とする空席販売システム。
【請求項２】
少なくとも便名、出発日時、出発空港、行き先空港、現時点における空席数を記録した航空券の在庫情報を格納しておく航空券在庫記憶手段と、
各航空便の出発時点における空席確率を格納しておく空席確率記憶手段と、
ユーザの操作するクライアント端末に、少なくとも出発空港、複数の許容行き先空港、出発日、人数を検索条件として指定するための検索条件指定画面を送信する手段と、
クライアント端末から検索条件が送信された場合に、上記航空券在庫記憶手段及び空席確率記憶手段を参照して、ユーザが指定した出発空港、許容行き先空港及び出発日の条件にマッチすると共に、現時点で指定人数分の空席が存在し、かつ、出発日における空席確率が所定値以上の航空便を、往路航空便候補として抽出する航空便候補抽出手段と、
行き先空港を同じくする各往路航空便候補に適用される共通の価格を、許容行き先空港毎に算定する価格算定手段と、
許容行き先空港単位でそれぞれの往路航空便候補が記載されると共に、上記共通の価格が記載された検索結果画面をクライアント端末に送信する手段と、
この検索結果画面上で申込が選択された場合に、各往路航空便候補、出発日、共通の価格を少なくとも含む申込情報を申込情報記憶手段に格納する手段と、
を備えた空席販売システムであって、
上記価格算定手段は、少なくとも行き先空港を同じくする各往路航空便候補の所定の確定日における通常価格を所定の算定式に代入することによって上記の共通の価格を算定するものとし、
この際、ユーザが指定した許容行き先空港の数が多いほど価格が安くなり、ユーザが指定した許容行き先空港の数が少ないほど価格が高くなる算定式が用いられることを特徴とする空席販売システム。
【請求項３】
少なくとも便名、出発日時、出発空港、行き先空港、現時点における空席数を記録した航空券の在庫情報を格納しておく航空券在庫記憶手段と、
各航空便の出発時点における空席確率を格納しておく空席確率記憶手段と、
ユーザの操作するクライアント端末に、少なくとも出発空港、複数の許容行き先空港、出発日、人数を検索条件として指定するための検索条件指定画面を送信する手段と、
クライアント端末から検索条件が送信された場合に、上記航空券在庫記憶手段及び空席確率記憶手段を参照して、ユーザが指定した出発空港、許容行き先空港及び出発日の条件にマッチすると共に、現時点で指定人数分の空席が存在し、かつ、出発日における空席確率が所定値以上の航空便を、往路航空便候補として抽出する航空便候補抽出手段と、
各往路航空便候補に適用される共通の価格を算定する価格算定手段と、
許容行き先空港単位でそれぞれの往路航空便候補が記載されると共に、上記共通の価格が記載された検索結果画面をクライアント端末に送信する手段と、
この検索結果画面上で申込が選択された場合に、各往路航空便候補、出発日、共通の価格を少なくとも含む申込情報を申込情報記憶手段に格納する手段と、
を備えた空席販売システムであって、
上記価格算定手段は、少なくとも全往路航空便候補の所定の確定日における通常価格を所定の算定式に代入することによって上記の共通の価格を算定するものとし、
この際、ユーザが指定した許容行き先空港の数が多いほど価格が安くなり、ユーザが指定した許容行き先空港の数が少ないほど価格が高くなる算定式が用いられることを特徴とする空席販売システム。
【請求項４】
出発日よりも所定日数前の確定日が到来した時点で、予め設定されたルールに従い、複数の往路航空便候補の中から一の往路航空便に係る航空券を販売対象として確定する手段と、
販売対象として確定された航空券の特定情報が記載された画面をクライアント端末に送信する手段、及び同情報が記載された電子メールをユーザのメールアドレス宛てに送信する手段、の少なくとも一方と、
を備えたことを特徴とする請求項１〜３の何れかに記載の空席販売システム。
【請求項５】
上記販売対象として確定された航空券の特定情報が記載された画面、及び同情報が記載された上記電子メールの少なくとも一方に、決済情報入力画面にアクセスするためのリンクが設定されており、
この決済情報入力画面を通じて決済情報が入力された場合に、これを用いて決済を完了させる手段を備えたことを特徴とする請求項４に記載の空席販売システム。
【請求項６】
上記検索結果画面上で申込が選択された場合に、決済情報入力画面をクライアント端末に送信する手段と、
クライアント端末から決済情報が送信された場合に、これを申込情報の一部として上記申込情報記憶手段に格納する手段と、
販売対象となる一の航空券が確定した時点で、上記決済情報を用いて決済を完了させる手段と、
を備えたことを特徴とする請求項４に記載の空席販売システム。
【請求項７】
上記検索結果画面上で申込が選択された場合に、決済情報入力画面をクライアント端末に送信する手段と、
クライアント端末から決済情報が送信された場合に、これを用いて決済を完了させる手段と、
上記申込情報の一部として、決済完了情報を上記申込情報記憶手段に格納する手段と、
出発日よりも所定日数前の確定日が到来した時点で、予め設定されたルールに従い、複数の往路航空便候補の中から一の往路航空便に係る航空券を販売対象として確定する手段と、
販売対象として確定された航空券の特定情報が記載された画面をクライアント端末に送信する手段、及び同情報が記載された電子メールをユーザのメールアドレス宛てに送信する手段、の少なくとも一方と、
を備えたことを特徴とする請求項３に記載の空席販売システム。
【請求項８】
上記検索条件指定画面には、帰還日を指定するための入力欄が設けられており、
上記航空便候補抽出手段は、上記クライアント端末から検索条件が送信された場合に、上記航空券在庫記憶手段及び空席確率記憶手段を参照して、ユーザが指定した帰還日における各許容行き先空港から出発空港に向かう航空便の中で、現時点で指定人数分の空席が存在し、かつ、帰還日における空席確率が所定値以上の航空便を復路航空便候補として抽出し、
上記価格算定手段は、各往路航空便候補及び各復路航空便候補の上記確定日における通常価格と、各往路航空便候補及び各復路航空便候補の出発日における空席確率を上記の算定式に代入することによって往復分の価格を算定し、
上記検索結果画面には、上記の価格として往復分の金額が記載されると共に、同検索結果画面または当該検索結果画面にリンクされた他の画面上には、各許容行き先空港に係る復路航空便候補が記載され、
この検索結果画面上で申込が選択された場合に、各復路航空便候補も申込情報の一部として上記申込情報記憶手段に格納され、
上記確定日の到来時には、予め設定されたルールに従い、複数の往路航空便候補及び複数の復路航空便の中から、一組の往路航空便及び復路航空便に係る航空券が販売対象として確定されることを特徴とする請求項４〜７の何れかに記載の空席販売システム。
【請求項９】
上記価格算定手段は、マーケティング要素を反映させた調整値を適用することにより、上記算定式に基づいて算定した価格に修正を施すことを特徴とする請求項１〜８の何れかに記載の空席販売システム。
【請求項１０】
上記価格算定手段は、上記の価格と各航空便候補の既発売の最低価格と比較し、何れかの最低価格よりも価格が高い場合、当該最低価格よりも安くなるまで価格を減額させる処理を実行することを特徴とする請求項１〜９の何れかに記載の空席販売システム。
【発明の詳細な説明】
【技術分野】
【０００１】
この発明は空席販売システムに係り、特に、航空券の空席の販売を促進する技術に関する。
【背景技術】
【０００２】
航空券のように利用期限が限定された商品の場合、販売側としては空席のまま売れ残るよりは大幅に値下げしてでも期限までに売り切りたいと希望するのは当然であるが、恒常的な値引き販売は、通常料金で購入する顧客を減少させ、価格体系の破壊を招くこととなる。
このため、既存の料金体系を破壊することなく空席の販売を促進する方法が、以前より模索されている。
【０００３】
その解決策の一つとして、アメリカでは「GetGoing／ゲットゴーイング」と称するサービスが登場している（非特許文献１、２、及び特許文献１参照）。
このサービスの利用者は、まずGetGoingのWebサイトにアクセスし、フライト検索画面で「出発地」、「行き先エリアまたは旅のテーマ」、「旅行日程」、「人数」を入力し、検索ボタンをクリックする。
【０００４】
この結果、ユーザの希望に合った行き先候補地のリストが画面上に表示される。各候補地には価格情報が併記されており、ユーザはそれぞれの価格を念頭に置きながら、行き先候補を２ヶ所に絞り込んだ後に、希望時刻のフライトを選択する。
【０００５】
これにより、旅行者情報や支払い情報を入力するフォームが表示されるため、ユーザは必要な情報を入力した上で、予約ボタンをクリックする。
後は、システムが何れか一方の目的地を、コインを投げる要領で決定した上で、航空券の購入及び決済が自動的に執行される。
【０００６】
このサービスの場合、最終的な行き先の決定権をシステムに委ねる代償としてディスカウントをユーザに付与するものであり、これにより空席の販売促進を図ると同時に、通常料金を支払う顧客の理解を得ることを企図している。
【０００７】
【非特許文献１】目的地を勝手に選択するディスカウント航空券予約サイトGetGoing.comインターネットURL：http://blog.sanowlabs.jp/?p=4856  検索日：２０１４年４月３０日
【非特許文献２】コインを投げる要領で行き先を決める？航空券予約ECサイト「GetGoing」が提供する、旅行の新しい価値観インターネットURL：http://netconcierge.jp/blog/2013/06/ecgetgoing.html  検索日：２０１４年４月３０日
【特許文献１】WO2013/059688
【発明の開示】
【発明が解決しようとする課題】
【０００８】
しかしながら、この「GetGoing」のサービスは、各航空会社から事前に仕入れた航空券をユーザに提供する代理店販売を基本としているため、「最大で40％の割引」と謳いながらも、実際には数％〜十数％程度の割引に止まるケースがほとんどである。航空券を可能な限り低額で販売するためには、最終的に売れ残りが発生する可能性の高い航空便を検索時点で把握することが不可欠であるが、GetGoingのサービスには各航空便の出発時点における空席の有無を予測する仕組みがないため、上記の通り思い切った割引を実現できないでいる。
【０００９】
また、この「GetGoing」のサービスにおいて、航空券の価格はサイトによって提示される金額に最初から固定され、ユーザ側の働きかけによって金額をコントロールする余地が全く、硬直的と評価せざるを得ない。
本来であれば、なるべく安く旅行がしたいというユーザ側の希望と、不人気な航空券をできるだけ多く捌きたいという航空会社側の希望とをマッチングさせるにあたり、価格の柔軟性は外せないポイントとなる筈である。
【００１０】
さらに、最終的な目的地を「システムによるその場のくじ引き」によって決定するこの方式は、「ユーザ側にデメリットを与えることで通常料金との公平感を保つための便法」としてのみ機能するものであり、そこに販売会社（航空会社等）側の都合を反映させる余地が全くない。
航空券の空席状況は時々刻々と変化するものであるため、本来、より多くの空席候補中から一定の期間内に実際に販売される航空券を柔軟に決定できる方が、販売会社の営業戦略にとって好都合であり、その分、ユーザに対してさらなる値引きを与えることも可能となる。
【００１１】
この発明は、このような現状を鑑みて案出されたものであり、各航空便の出発時点における空席確率を検索処理に反映させることにより、最終的に売れ残る可能性の高い航空便をユーザに提示できると共に、航空券の価格設定にある程度の自由度を持たせることにより、空席販売を促進できる技術を提供することを第１の目的としている。また、販売対象となる航空券の柔軟な選択権を販売者側に付与することができる空席販売技術を提供することを第２の目的としている。
【課題を解決するための手段】
【００１２】
上記の目的を達成するため、請求項１に記載した空席販売システムは、少なくとも便名、出発日時、出発空港、行き先空港、現時点における空席数を記録した航空券の在庫情報を格納しておく航空券在庫記憶手段と、各航空便の出発時点における空席確率を格納しておく空席確率記憶手段と、ユーザの操作するクライアント端末に、少なくとも出発空港、複数の許容行き先空港、出発日、人数を検索条件として指定するための検索条件指定画面を送信する手段と、クライアント端末から検索条件が送信された場合に、上記航空券在庫記憶手段及び空席確率記憶手段を参照して、ユーザが指定した出発空港、許容行き先空港及び出発日の条件にマッチすると共に、現時点で指定人数分の空席が存在し、かつ、出発日における空席確率が所定値以上の航空便を、往路航空便候補として抽出する航空便候補抽出手段と、各往路航空便候補の価格を算定する価格算定手段と、許容行き先空港単位でそれぞれの往路航空便候補が記載されると共に、それぞれの価格が記載された検索結果画面をクライアント端末に送信する手段と、この検索結果画面上で申込が選択された場合に、各往路航空便候補、出発日、価格を少なくとも含む申込情報を申込情報記憶手段に格納する手段を備えた空席販売システムであって、上記価格算定手段は、少なくとも各往路航空便候補の所定の確定日における通常価格を所定の算定式に代入することによって上記の価格を算定するものとし、この際、ユーザが指定した許容行き先空港の数が多いほど価格が安くなり、ユーザが指定した許容行き先空港の数が少ないほど価格が高くなる算定式が用いられることを特徴としている。
【００１３】
請求項２に記載した空席販売システムは、少なくとも便名、出発日時、出発空港、行き先空港、現時点における空席数を記録した航空券の在庫情報を格納しておく航空券在庫記憶手段と、各航空便の出発時点における空席確率を格納しておく空席確率記憶手段と、ユーザの操作するクライアント端末に、少なくとも出発空港、複数の許容行き先空港、出発日、人数を検索条件として指定するための検索条件指定画面を送信する手段と、クライアント端末から検索条件が送信された場合に、上記航空券在庫記憶手段及び空席確率記憶手段を参照して、ユーザが指定した出発空港、許容行き先空港及び出発日の条件にマッチすると共に、現時点で指定人数分の空席が存在し、かつ、出発日における空席確率が所定値以上の航空便を、往路航空便候補として抽出する航空便候補抽出手段と、行き先空港を同じくする各往路航空便候補に適用される共通の価格を、許容行き先空港毎に算定する価格算定手段と、許容行き先空港単位でそれぞれの往路航空便候補が記載されると共に、上記共通の価格が記載された検索結果画面をクライアント端末に送信する手段と、この検索結果画面上で申込が選択された場合に、各往路航空便候補、出発日、共通の価格を少なくとも含む申込情報を申込情報記憶手段に格納する手段を備えた空席販売システムであって、上記価格算定手段は、少なくとも行き先空港を同じくする各往路航空便候補の所定の確定日における通常価格を所定の算定式に代入することによって上記の共通の価格を算定するものとし、この際、ユーザが指定した許容行き先空港の数が多いほど価格が安くなり、ユーザが指定した許容行き先空港の数が少ないほど価格が高くなる算定式が用いられることを特徴としている。
【００１４】
請求項３に記載した空席販売システムは、少なくとも便名、出発日時、出発空港、行き先空港、現時点における空席数を記録した航空券の在庫情報を格納しておく航空券在庫記憶手段と、各航空便の出発時点における空席確率を格納しておく空席確率記憶手段と、ユーザの操作するクライアント端末に、少なくとも出発空港、複数の許容行き先空港、出発日、人数を検索条件として指定するための検索条件指定画面を送信する手段と、クライアント端末から検索条件が送信された場合に、上記航空券在庫記憶手段及び空席確率記憶手段を参照して、ユーザが指定した出発空港、許容行き先空港及び出発日の条件にマッチすると共に、現時点で指定人数分の空席が存在し、かつ、出発日における空席確率が所定値以上の航空便を、往路航空便候補として抽出する航空便候補抽出手段と、各往路航空便候補に適用される共通の価格を算定する価格算定手段と、許容行き先空港単位でそれぞれの往路航空便候補が記載されると共に、上記共通の価格が記載された検索結果画面をクライアント端末に送信する手段と、この検索結果画面上で申込が選択された場合に、各往路航空便候補、出発日、共通の価格を少なくとも含む申込情報を申込情報記憶手段に格納する手段を備えた空席販売システムであって、上記価格算定手段は、少なくとも全往路航空便候補の所定の確定日における通常価格を所定の算定式に代入することによって上記の共通の価格を算定するものとし、この際、ユーザが指定した許容行き先空港の数が多いほど価格が安くなり、ユーザが指定した許容行き先空港の数が少ないほど価格が高くなる算定式が用いられることを特徴としている。
【００１５】
請求項４に記載した空席販売システムは、請求項１〜３のシステムであって、さらに、出発日よりも所定日数前の確定日が到来した時点で、予め設定されたルールに従い、複数の往路航空便候補の中から一の往路航空便に係る航空券を販売対象として確定する手段と、販売対象として確定された航空券の特定情報が記載された画面をクライアント端末に送信する手段及び同情報が記載された電子メールをユーザのメールアドレス宛てに送信する手段の少なくとも一方を備えたことを特徴としている。
【００１６】
請求項５に記載した空席販売システムは、請求項４のシステムであって、さらに、上記販売対象として確定された航空券の特定情報が記載された画面、及び同情報が記載された上記電子メールの少なくとも一方に、決済情報入力画面にアクセスするためのリンクが設定されており、この決済情報入力画面を通じて決済情報が入力された場合に、これを用いて決済を完了させる手段を備えたことを特徴としている。
【００１７】
請求項６に記載した空席販売システムは、請求項４のシステムであって、さらに、上記検索結果画面上で申込が選択された場合に、決済情報入力画面をクライアント端末に送信する手段と、クライアント端末から決済情報が送信された場合に、これを申込情報の一部として上記申込情報記憶手段に格納する手段と、販売対象となる一の航空券が確定した時点で、上記決済情報を用いて決済を完了させる手段とを備えたことを特徴としている。
【００１８】
請求項７に記載した空席販売システムは、請求項３のシステムであって、さらに、上記検索結果画面上で申込が選択された場合に、決済情報入力画面をクライアント端末に送信する手段と、クライアント端末から決済情報が送信された場合に、これを用いて決済を完了させる手段と、上記申込情報の一部として、決済完了情報を上記申込情報記憶手段に格納する手段と、出発日よりも所定日数前の確定日が到来した時点で、予め設定されたルールに従い、複数の往路航空便候補の中から一の往路航空便に係る航空券を販売対象として確定する手段と、販売対象として確定された航空券の特定情報が記載された画面をクライアント端末に送信する手段及び同情報が記載された電子メールをユーザのメールアドレス宛てに送信する手段の少なくとも一方を備えたことを特徴としている。
【００１９】
請求項８に記載した空席販売システムは、請求項４〜７のシステムであって、さらに、上記検索条件指定画面には、帰還日を指定するための入力欄が設けられており、上記航空便候補抽出手段は、上記クライアント端末から検索条件が送信された場合に、上記航空券在庫記憶手段及び空席確率記憶手段を参照して、ユーザが指定した帰還日における各許容行き先空港から出発空港に向かう航空便の中で、現時点で指定人数分の空席が存在し、かつ、帰還日における空席確率が所定値以上の航空便を復路航空便候補として抽出し、上記価格算定手段は、各往路航空便候補及び各復路航空便候補の上記確定日における通常価格と、各往路航空便候補及び各復路航空便候補の出発日における空席確率を上記の算定式に代入することによって往復分の価格を算定し、上記検索結果画面には、上記の価格として往復分の金額が記載されると共に、同検索結果画面または当該検索結果画面にリンクされた他の画面上には、各許容行き先空港に係る復路航空便候補が記載され、この検索結果画面上で申込が選択された場合に、各復路航空便候補も申込情報の一部として上記申込情報記憶手段に格納され、上記確定日の到来時には、予め設定されたルールに従い、複数の往路航空便候補及び複数の復路航空便の中から、一組の往路航空便及び復路航空便に係る航空券が販売対象として確定されることを特徴としている。
上記の「帰還日を指定するための入力欄」は、具体的な日付を入力する形式に限定されるものではなく、滞在日数を入力することで帰還日を指定する形式であってもよい。
【００２０】
請求項９に記載した空席販売システムは、請求項１〜８のシステムであって、さらに、上記価格算定手段は、マーケティング要素を反映させた調整値を適用することにより、上記算定式に基づいて算定した価格に修正を施すことを特徴としている。
【００２１】
請求項１０に記載した空席販売システムは、請求項１〜９のシステムであって、さらに、上記価格算定手段は、上記の価格と各航空便候補の既発売の最低価格と比較し、何れかの最低価格よりも共通価格が高い場合、当該最低価格よりも安くなるまで価格を減額させる処理を実行することを特徴としている。
【発明の効果】
【００２２】
請求項１〜３に記載した空席販売システムの場合、現時点における空席数の他に、出発時点における空席確率をも勘案して往路航空便候補を抽出できるため、最終的に売れ残る可能性の高い航空便を選定し、販売対象としてユーザに提示することができる。この結果、通常の価格に比べて大幅な割引を付与することも可能となる。
また価格の算定に際し、ユーザが選定した許容行き先空港数が多いほど大きな割引率が適用されるため、できるだけ除外する空港を少なくすることで価格を抑えるという選択権をユーザ側に付与することができる。この結果、システムはより広い範囲の空港の中から行き先空港候補を抽出することが可能となるため、空席の販売促進を目指す販売者側にも好都合となる。
【００２３】
請求項３に記載した空席販売システムの場合には、上記「GetGoing」のサービスと異なり、複数の行き先候補についての共通の価格が申込時に定まっているので、ユーザの意思決定が容易になっている。特に、複数人の旅行の場合には、申込時に価格が定まっていることのユーザ利便性は大きい。
【００２４】
請求項４に記載した空席販売システムの場合、申込の段階でくじ引きによって即座に行き先が確定されるのではなく、確定日が到来した時点で始めて最終的な行き往路航空便が決定される仕組みであるため、決済完了時点から確定日までの間に生じた事情に合わせて具体的な航空券を選定する余地が生じ、販売者側に大きなメリットが生じる。
【００２５】
請求項６に記載した空席販売システムの場合、申込の段階で決済情報がシステム側に保全される仕組みであるため、販売対象となる航空券が確定した時点で即座に決済を完了させることができる。
【００２６】
請求項７に記載した空席販売システムの場合、申込の時点で決済を完了させる仕組みであるため、販売者側の貸倒リスクを解消することができる。
【００２７】
請求項８に記載した空席販売システムの場合、申込時に復路の航空券の確保ができるため、ユーザの利便性が増す。また、販売者にとっても、確定日における復路便の空席状況を勘案して販売対象となる航空券を選定できるため、より有効に空席の解消を図ることが可能となる。
【００２８】
請求項９に記載した空席販売システムの場合、上記算定式に基づいて算定される所謂理論価格に対して、マーケティングの観点から修正を施すことができるため、その時々の経営環境等を価格に柔軟に反映させることができ、販売者側にメリットが生じる。
【００２９】
請求項１０に記載した空席販売システムの場合、価格が既存の航空券の価格に比べて常に最安となるため、空席航空券を効果的に捌くことが可能となる。
【発明を実施するための最良の形態】
【００３０】
図１に示すように、この発明に係る空席販売システム10は、Webサーバ12と、空席検索部14と、ユーザ嗜好特定部18と、価格算定部20と、算定基準記憶部22と、航空券在庫記憶部26と、空席確率記憶部27と、搭乗履歴記憶部28と、ユーザ属性記憶部30と、申込情報記憶部31と、Web閲覧履歴記憶部32と、TV視聴履歴記憶部34を備えている。
【００３１】
これらの中、空席検索部14、ユーザ嗜好特定部18及び価格算定部20は、コンピュータ36のCPUが、OS及び専用のアプリケーションプログラムに従って動作することで実現される。
また、算定基準記憶部22は、同コンピュータ36の外部記憶装置内に設けられている。
【００３２】
空席検索部14は、ネットワーク経由でWebサーバ12と接続されている。
このWebサーバ12には、ユーザが操作する多数のクライアント端末38が接続される。クライアント端末38としては、PCの他にタブレット端末やスマートフォン等も含まれる。
【００３３】
また、ユーザ嗜好特定部18は、Web閲覧履歴記憶部32及びTV視聴履歴記憶部34と、ネットワーク経由で接続されている。
さらに、空席検索部14は、航空券在庫記憶部26及び空席確率記憶部27と、ネットワーク経由で接続されている。
【００３４】
航空券在庫記憶部26、空席確率記憶部27、搭乗履歴記憶部28及びユーザ属性記憶部30は、航空会社が運用する航空会社システム40によって管理されている。
この航空会社システム40は、ネットワーク経由でWebサーバ12とも接続されている。
【００３５】
航空券在庫記憶部26には、航空会社が販売する航空券の在庫情報が多数格納されている。
各在庫情報には、少なくとも、便名、出発空港、行き先空港、出発日時、現時点における空席数が含まれている。
【００３６】
空席確率記憶部27には、過去の実績データを統計的に処理することによって導かれた各航空便の出発時点における空席確率データ（予測値）が格納されている。
【００３７】
搭乗履歴記憶部28には、各ユーザの搭乗実績情報（ユーザID、搭乗日時、航空便コード等）格納されている。
【００３８】
ユーザ属性記憶部30には、航空会社の登録会員に関する属性情報（ユーザID、氏名、生年月日、性別、メールアドレス、職種、役職、年収帯、趣味等）が格納されている。
【００３９】
Web閲覧履歴記憶部32は、Web閲覧履歴の収集・加工・販売を専門とする業者のサーバによって管理されており、Webブラウザに配信されたクッキーIDと、当該Webブラウザによって閲覧されたWebページのカテゴリとを関連付けた閲覧履歴データが多数格納されている。
すなわち、ユーザがPCやスマートフォン等のWebブラウザで所定のWebページを閲覧すると、そのWebページに予め設定されたカテゴリ（グルメ、名所旧跡、温泉、ゴルフ等）とクッキーIDが、当該Webページを配信しているWebサーバから専門業者のサーバに送信され、Web閲覧履歴記憶部32に格納される。
【００４０】
上記のTV視聴履歴記憶部34は、インターネット接続機能を備えた特定のテレビ（以下「スマートテレビ」）を製造・販売する企業等のサーバによって管理されており、スマートテレビの識別コードと、このスマートテレビと関連付けられたWebブラウザのクッキーIDと、当該スマートテレビで視聴したテレビ番組の識別コードとの対応関係を示すデータが多数格納されている。
すなわち、ユーザがスマートテレビで所定のテレビで番組を視聴すると、その番組に設定された識別コードがネットワーク経由で上記サーバに送信され、スマートテレビの識別コードに関連付けた形でTV視聴履歴記憶部34に格納される。また、ユーザがPCやスマートフォン等のWebブラウザから自己のスマートテレビに関連するWebサイトにアクセスした際に、WebブラウザのクッキーIDとスマートテレビの識別コードとの紐付けがなされる。
【００４１】
つぎに、このシステム10の利用手順について、図２のフローチャートに従い、説明する。
まず、ユーザがクライアント端末38からが航空会社のWebサイトにアクセスし、ID及びパスワードを入力してログインすると、Webサーバ12からサービス選択画面（図示省略）が送信される（Ｓ10）。
この画面上でユーザが「空席検索」を選択すると、図３に示すように、検索条件指定画面50がWebサーバ12からクライアント端末38に送信される（Ｓ12）。
【００４２】
この検索条件指定画面50の左半分には、許容行き先空港の選択欄52が設けられている。許容行き先空港の選択欄52には日本列島の地図が表示されており、地図上には日本各地の空港に対応した空港ボタン54が設けられている。
ここでユーザは、これら空港の中から行き先として許容できるものを選んで、空港ボタン54をクリックする。この結果、選択された空港には×印が表示され、検索条件として指定されたことが明示される。
図においては、３５の空港の中から４港が選択された状態が示されている。
×印を再クリックすると、一旦選択した空港が検索対象外に復帰する。あるいは、「クリア」ボタンを55クリックすることで、全ての選択を解除することができる。
【００４３】
検索条件指定画面50の右半分には、出発空港指定欄56、出発日指定欄58、出発時間帯（午前／午後／夜間等）指定欄60、帰還日指定欄62、帰還時間帯（午前／午後／夜間等）指定欄64、人数指定欄66が設けられている。
これに対しユーザは、各欄のプルダウンボタン（▼）をクリックし、必要な検索条件を指定した後、検索ボタン68をクリックする。
この結果、ユーザが指定した検索条件と、ユーザID、クッキーIDが、Webサーバ12経由で空席検索部14に送信される。
【００４４】
これらの情報を受け取った空席検索部14は（Ｓ14）、航空券在庫記憶部26及び空席確率記憶部27を参照し、ユーザの指定した検索条件にマッチした往路の航空便候補を抽出する（Ｓ16）。
具体的には、以下の条件を満たす航空便が往路航空便候補として抽出される。
(1)ユーザが指定した出発空港から各許容行き先空港への航空便であること
(2)ユーザが指定した出発日及び出発時間帯に該当する航空便であること
(3)現時点でユーザが指定した人数分の空席がある航空便であること
(4)出発日における空席確率が所定の閾値以上の航空便であること
【００４５】
この(4)の判定に際しては、空席確率記憶部27に格納された空席確率データが参照される。
そして、出発日における空席確率が所定の閾値未満の航空便は、販売対象から除外される。
【００４６】
つぎに空席検索部14は、航空券在庫記憶部26及び空席確率記憶部27を参照し、ユーザの指定した検索条件にマッチした復路の航空便候補を抽出する（Ｓ18）。
具体的には、以下の条件を満たす航空便が復路航空便候補として抽出される。
(1)ユーザが指定した各許容行き先空港から出発空港への航空便であること
(2)ユーザが指定した帰還日及び帰還時間帯に該当する航空便であること
(3)現時点でユーザが指定した人数分の空席がある航空便であること
(4)帰還日における空席確率が所定の閾値以上の航空便であること
【００４７】
ただし、現地で観光した後、自動車や列車等で移動することも可能であるため、復路については(1)の条件を緩和し、許容行き先空港から一定距離内あるいは一定移動時間内にある近隣空港からの航空便を「復路航空便候補」と認定することもできる。
また、(4)の判定に際しては、空席確率記憶部27に格納された空席確率データが参照される。
そして、帰還日における空席確率が所定の閾値未満の航空便は、販売対象から除外される。
【００４８】
つぎに空席検索部14は、往路航空便候補及び復路航空便候補を確保できた各許容行き先空港を、行き先空港候補と認定する（Ｓ20）。
【００４９】
つぎに、空席検索部14からユーザID及びクッキーIDを受け取ったユーザ嗜好特定部18は、ユーザIDをキーにユーザ属性記憶部30を検索し、当該ユーザの属性情報（性別、年齢、趣味、職業、年収帯等）を取得する（Ｓ22）。
【００５０】
つぎにユーザ嗜好特定部18は、クライアント端末38のクッキーIDをキーにWeb閲覧履歴記憶部32を検索し、当該ユーザに係るWeb閲覧履歴（Webページのカテゴリ）が存在するときには、これを取得する（Ｓ24）。
【００５１】
つぎにユーザ嗜好特定部18は、クライアント端末38のクッキーIDをキーにTV視聴履歴記憶部34を検索し、当該ユーザに係るテレビ番組視聴履歴が存在するときには、これを取得する（Ｓ26）。
つぎにユーザ嗜好特定部18は、各テレビ番組の識別コードとテレビ番組のカテゴリ（グルメ、名所旧跡、温泉、ゴルフ等）との対応関係を規定した記憶手段を参照し、それぞれのカテゴリを特定する（Ｓ28）。
【００５２】
つぎにユーザ嗜好特定部18は、当該ユーザの属性情報、Web閲覧履歴情報及びTV視聴履歴情報から導かれたカテゴリに基づいて、当該ユーザの旅行に関する嗜好カテゴリを特定する（Ｓ30）。
【００５３】
例えば、ユーザの属性情報として「趣味：仏像鑑賞」が登録されていた場合、空席検索部14は嗜好カテゴリとして「名所旧跡」を特定する。
また、ユーザ属性情報として「趣味：ゴルフ」が登録されていた場合、空席検索部14は嗜好カテゴリとして「ゴルフ」を特定する。
あるいは、当該ユーザのWeb閲覧履歴情報として「グルメ」のカテゴリが検出された場合、空席検索部14は嗜好カテゴリとして「グルメ」を特定する。
また、当該ユーザのTV視聴履歴情報から「スキー」のカテゴリが導出された場合、空席検索部14は嗜好カテゴリとして「スキー」を特定する。
【００５４】
一人のユーザについて複数の嗜好カテゴリがマッチした場合、ユーザ嗜好特定部18は予め設定されたルールに従い、一定数の嗜好カテゴリに絞り込む。
例えば、以下のルールが想定される。
(1)ユーザの自己申告による「趣味」が登録されている場合、これに基づく嗜好カテゴリを優先的に適用する。
(2)Web閲覧履歴、TV視聴履歴から導かれた嗜好カテゴリが相互に競合する場合、日時情報の新しいものを優先する。
(3)Web閲覧履歴、TV視聴履歴から導かれた嗜好カテゴリの中で重複するものがある場合、重複しないものよりも優先する（多数決原理）。
(4)３以上の嗜好カテゴリが該当する場合、上位２つまでの嗜好カテゴリを採用する。
【００５５】
以上はあくまでも一例であり、他のルールに従ってユーザの嗜好カテゴリを決定することも当然に可能である。
例えば、ユーザの年齢や性別、年収帯といった個人属性に基づき、最もマッチする嗜好カテゴリを統計データとの比較により推定することが該当する。
【００５６】
つぎに空席検索部14は、各空港と各嗜好カテゴリとの組合せ毎に対応のPR用コンテンツ（静止画像ファイルや動画像ファイル、テキスト等）を定義したPR用コンテンツテーブル（図示省略）を参照することにより、各行き先空港候補に関して、それぞれのPR用コンテンツを特定する（Ｓ32）。
例えば、ユーザの嗜好カテゴリが「温泉」であり、往路便と復路便の空席が確保できた行き先空港に「大分空港」及び「松山空港」が含まれていた場合、空席検索部14は別府温泉の観光写真及び道後温泉の観光写真をそれぞれのPR用コンテンツとして特定する。
あるいは、ユーザの嗜好カテゴリが「ゴルフ」であり、往路便と復路便の空席が確保できた行き先空港の一つが「札幌空港」である場合、空席検索部14は札幌周辺の有名ゴルフ場の写真をPR用コンテンツとして特定する。
【００５７】
つぎに空席検索部14は、往路便と復路便の空席が確保できた複数の行き先空港候補を指定して、価格算定部20に価格の算定を依頼し、これを受けた価格算定部20は、各行き先空港に係る往復便の共通価格を算定し（Ｓ34）、空席検索部14に返す。この共通価格の算定方法については、後に詳述する。
【００５８】
価格算定部20による算定結果を受け取った空席検索部14は、Webサーバ12に対して検索結果を送信する。この検索結果には、往復の航空便が確保できた行き先空港候補と、それぞれのPR用コンテンツ、それぞれの往路航空便候補と復路航空便候補、共通価格が少なくとも含まれている。
【００５９】
空席検索部14からこれらの情報を受け取ったWebサーバ12は、検索結果提示画面を生成し、クライアント端末38に送信する（Ｓ36）。
図４に示すように、この検索結果提示画面72には、候補１〜４の行き先空港候補名74と、それぞれのPR用コンテンツ76、航空便候補リスト78等が表示されている。
【００６０】
また、航空便候補リスト78中には、行き先空港候補毎に複数の往路航空便候補が列記されており、これらの中の一つが最終的に販売されることが予告されている。
因みに、「○」の付いている往路航空便候補は現時点で空席があることを示しており、「×」の付いている往路航空便候補は現時点では空席がないが、同一時間帯に属しているためキャンセル等で空きが生じた際には販売対象になり得ることが示されている。
【００６１】
行き先空港候補毎に用意された「観光スポット」ボタン80をユーザがクリックすると、当該空港周辺の観光スポット情報を記載したWebページがWebサーバ12から送信され（Ｓ38）、Webブラウザの別ウィンドウ上に観光スポット表示画面が表示される（図示省略）。
【００６２】
また、行き先空港候補毎に用意された「復路便確認」ボタン82をユーザがクリックすると、当該空港から出発空港までの復路航空便候補が列記されたWebページがWebサーバ12から送信され（Ｓ40）、Webブラウザの別ウィンドウ上に復路航空便候補表示画面が表示される（図示省略）。
なお、上記したように、復路については行き先空港候補の近隣空港から出発空港までの航空便が復路便候補として列記されている場合もある。
【００６３】
画面の上部には往復の航空運賃として「各６，０００円」が明示され、どの行き先空港候補に関しても共通の料金であることが示されている。
【００６４】
４つの行き先空港候補と料金を検討した結果、購入意欲の湧いたユーザは、「申込」ボタン84をクリックする。
また、検索結果提示画面72に記載された航空便候補あるいは金額に納得のいかないユーザは、「戻る」ボタン86をクリックし、検索条件の指定からやり直す。
【００６５】
なお、ユーザが選択した許容行き先空港が何れも人気路線で出発日の空席確率が低い場合には、往復の航空便が確保できず、検索結果画面に「航空便が確保できません」のメッセージが表示される。
これを受けたユーザは、「戻る」ボタン86をクリックして検索条件指定画面50に戻り、他の許容行き先空港を指定する。
【００６６】
ユーザが「申込」ボタン84をクリックした場合、Webサーバ12から決済専用画面が送信され（Ｓ42）、クライアント端末38のWebブラウザ上に表示される（図示省略）。
ここでユーザがクレジットカード番号や有効期限等の決済情報を入力し、決済が完了すると、Webサーバ12からユーザのアドレス宛に予約確認の電子メールが送信される（Ｓ44）。
【００６７】
この電子メールには、少なくとも以下の内容が記述されている。
・出発日
・４つの行き先空港候補及びそれぞれの航空便候補（○及び×）
・復路の航空便候補
・料金及び決済完了情報
・確定日（例えば出発日の３日前）
【００６８】
決済完了と同時に、Webサーバ12から航空会社システム40に対し、申込情報が送信される。
この申込情報には、少なくともユーザID、出発日、出発空港、４つの行き先空港候補、各空港の往路航空便候補、帰還日、復路航空便候補、決済完了フラグが含まれている。
【００６９】
これを受けた航空会社システム40は、申込情報記憶部31にこれを格納しておき（Ｓ46）、確定日が到来した時点で４つの行き先空港候補中の一つを最終的な行き先空港として選定すると同時に、当該行き先空港に係る複数の往路航空便候補の中の一つを正式な往路航空便とし、複数の復路航空便候補の中の一つを正式な復路航空便として選定する（Ｓ48）。
【００７０】
この際、どのようなロジックで一つの行き先空港候補を選定するのかについては航空会社の自由であるが、例えば、航空券在庫記憶部26を参照し、その時点で最も空席率の高い往路航空便または復路航空便に係る行き先空港候補を選定することが該当する。
または、空席確率記憶部27を参照し、出発日における空席確率が最も高い往路航空便に係る行き先空港候補を選定することもできる。
あるいは、搭乗履歴記憶部28を参照し、当該ユーザが頻繁に訪れている行き先空港候補を優先したり、逆にユーザが頻繁に訪問している空港以外の行き先空港候補を優先したりすることもできる。
【００７１】
つぎに航空会社システム40は、選定された行き先空港、往路航空便、復路航空便、確認番号からなる確定情報が記載された電子メールを生成し、ユーザの電子メールアドレス宛てに送信する（Ｓ50）。
この確定情報はWebサーバ12にも送信されるため、ユーザがWebサイトにアクセスしてログインすると、マイページにこれらの確定情報が表示される。
【００７２】
ユーザは、上記の電子メールに記載された確認番号を空港内の自動チェックイン機に入力することで、搭乗券の発行を受ける。
【００７３】
つぎに、価格算定部20による共通価格の算定方法について説明する。
まず価格算定部20は、図５に示すように、各往路航空便候補及び復路航空便候補の確定日における通常価格データ90と、各航空便候補の出発日（帰還日）における空席確率データ91に基づいて理論価格を算定し（Ｓ34-1）、理論価格データ93を生成する。
【００７４】
ここで「通常価格」とは、個別の行き先空港に対し、通常の予約方法で、予約時点から出発日までに付けられる価格の予測値（時系列データ）を意味しており、過去の統計データから求められる。
また「空席確率」とは、予約時点から出発日までの各時点において、当該便に空席が残っているであろう確率（時系列データ）を意味しており、過去の統計データから求められる。
【００７５】
このように、各航空便の組合せ、それぞれの通常価格、空席確率に基づいて理論価格が算出されるのであるが、この理論価格の算定については、例えば金融分野で確立されているリアルオプションの算定式を応用することができる。
すなわち、リアルオプションの算定式に「通常価格」と「空席確率」を投入すると、通常の方法で行き先を一意に指定して航空券を予約するという権利を放棄（選択権を放棄）することの金銭的価値が算出され、「通常価格」の確率論的期待値からこの金銭的価値を減ずることで理論価格が算出される。
このため、理論価格はユーザが多くの空港を許容行き先空港から除外しているほど割引額が小さくなり、その分価格が高くなるのに対し、除外している空港数が少ないほど割引額は大きくなり、価格が安くなる。
【００７６】
ただし、理論価格の算出方式としては、上記したリアルオプションの算定式を用いるものに限定されるものではない。
例えば、各往路航空便候補の確定日における通常価格の平均値に、各復路航空便候補の確定日における通常価格の平均値を加算し、そこに許容行き先空港の数に応じた調整値を適用することにより、理論価格を導き出すことが該当する。要は、許容行き先空港数が多いほど共通価格が低くなり、許容行き先空港数が少ないほど共通価格が高くなるような結果さえ導き出せればよい。
この際に、各航空便候補の出発日（帰還日）における空席確率が価格に反映されるような算定式を採用することもできる。
【００７７】
つぎに価格算定部20は、理論価格データ93に対して戦略的調整値データ94を適用することにより、マーケティング要素を反映させる修正を施し（Ｓ34-2）、修正価格データ95を生成する。
ここで「戦略的調整値」とは、航空会社の営業戦略や現時点での業績等を勘案して柔軟に設定される値であり、例えば、全社的に空席率の低減が急務とされる場面ではさらなる割引額が適用されるのに対し、空席率の解消よりもブランドイメージの向上が重視される場面では割引額を抑制する調整値が適用される。
【００７８】
つぎに価格算定部20は、修正価格データ95と既発売の最低価格データ96とを比較し、修正価格が既発売の最低価格よりも高い場合には、既発売の最低価格よりも低い価格となるまで強制的に減額させることで最終的な販売価格を決定し（Ｓ34-3）、販売価格データ97を生成する。
ここで「既発売の最低価格」とは、「先得」や「早割」といった既存の割引サービスの適用によって算定される価格を意味しており、これにより本システム10を通じた販売価格が従来のいかなる割引価格よりも安価となるように制御される。
【００７９】
上記の通常価格データ90、空席確率データ91、戦略的調整値データ94、既発売の最低価格データ96は、予め算定基準記憶部22に格納されており、必要に応じて随時更新される。
【００８０】
上記のように、許容行き先空港数が多いほど共通価格が低くなり、許容行き先空港数が少ないほど共通価格が高くなる仕組みを備えることにより、ユーザに対してより多くの許容行き先空港を指定することを促す効果が期待でき、その分、販売者側は広い範囲から販売対象となる航空券を選定することが可能となる。
【００８１】
上記においては、往路航空便と復路航空便を同時に販売する例を示したが、往路航空便のみを販売するシステムとしてこの発明を構成することも当然に可能である。
【００８２】
また、申込と同時に決済が完了する例を示したが、申込と決済のタイミングを分離することも可能である。
例えば、申込時には決済情報入力画面をクライアント端末38に送信してクレジットカード番号等の決済情報をユーザに入力させ、これを申込情報の一部として申込情報記憶部31に格納しておき、販売対象となる航空券が確定した時点でこれらの決済情報を用いて決済を完了させるようにすることができる。
あるいは、販売対象となる航空券が確定した時点で、決済情報入力画面にアクセスするためのリンク（URL）が設定された電子メールやWebページをクライアント端末38に送信し、この決済情報入力画面を通じて決済情報が送信された時点で、直ちに決済を完了させるようにしてもよい。
【００８３】
上記においては、検索結果画面72において各行き先空港候補について共通の価格が提示される例を示したが、各航空便候補の確定日における通常価格等に基づいて、航空便候補毎に異なる価格を提示するようにシステムを構成してもよい。
この場合、価格算定部20は、各往路航空便候補及び復路航空便候補の確定日における通常価格等に基づいてそれぞれの価格を算定する。そして、検索結果画面においては、各往路航空便候補及び復路航空便候補の価格が別々に表示される。
【００８４】
この場合でも、各航空便候補の価格の算定に際しては、ユーザが選択した許容行き先空港の数に応じた所定の調整値を適用することにより、許容行き先空港の数が多いほど個々の航空便候補の価格が安くなり、許容行き先空港の数が少ないほど個々の航空便候補の価格が高くなる結果が導かれる。
【００８５】
このように、検索結果画面において航空便毎に異なる価格が設定された状態で申込ボタンがクリックされた場合、申込情報記憶部31に申込情報（ユーザID／出発日／各往路航空便候補及びその価格／各復路航空便候補及びその価格／更新日時等）が格納される。
【００８６】
そして、確定日が到来し、販売対象となる航空券が確定した時点で、代金（往路航空便の価格＋復路航空便の価格）の決済が行われる。
具体的には、決済情報入力画面にアクセスするためのリンク（URL）が設定された電子メールやWebページがクライアント端末38に送信され、この決済情報入力画面を通じて決済情報が送信された時点で決済が執行される。
もちろん、申込時に決済情報入力画面を通じて決済情報を確保しておき、販売対象となる航空券が確定した時点で、これを用いて即座に決済を完了させるように運用することも可能である。
【００８７】
航空便候補単位で価格を算定する代わりに、行き先空港及び時間帯（午前／午後／夜間等）を共通にする複数の往路航空便候補、及び当該行き先空港から出発空港までの同一時間帯に属する複数の復路航空便候補の確定日における通常価格等に基づいて、許容行き先空港毎に共通の価格を算定し、検索結果画面においてそれぞれの価格を表示するようにしてもよい。
【００８８】
この場合も、行き先空港単位の価格の算定に際しては、ユーザが選択した許容行き先空港の数に応じた所定の調整値を適用することにより、許容行き先空港の数が多いほど行き先空港単位の共通価格が安くなり、許容行き先空港の数が少ないほど同価格が高くなる結果が導かれる。
【００８９】
このように、検索結果画面において許容行き先空港毎に異なる価格が設定された状態で申込ボタンがクリックされた場合、申込情報記憶部31に申込情報（ユーザID／出発日／許容行き先空港毎の価格／各往路航空便候補／各復路航空便候補／更新日時等）が格納される。
【００９０】
そして、確定日が到来し、販売対象となる航空券が確定した時点で、代金（往路航空便の価格＋復路航空便の価格）の決済が行われる。
すなわち、上記と同様、決済情報入力画面にアクセスするためのリンク（URL）が設定された電子メールやWebページがクライアント端末38に送信され、この決済情報入力画面を通じて決済情報が送信された時点で決済が執行される。
あるいは、申込時に決済情報入力画面を通じて決済情報を確保しておき、販売対象となる航空券が確定した時点で自動的に決済が執行されるようにしてもよい。
【図面の簡単な説明】
【００９１】
【図１】この発明に係る空席販売システムの機能構成を示すブロック図である。
【図２】このシステムの利用手順を示すフローチャートである。
【図３】検索条件指定画面を示す図である。
【図４】検索結果提示画面を示す図である。
【図５】価格算定の手順を示すフローチャートである。
【符号の説明】
【００９２】
10    空席販売システム
12    Webサーバ
14    空席検索部
18    ユーザ嗜好特定部
20    価格算定部
22    算定基準記憶部
26    航空券在庫記憶部
27    空席確率記憶部
28    搭乗履歴記憶部
30    ユーザ属性記憶部
31    申込情報記憶部
32    Web閲覧履歴記憶部
34    TV視聴履歴記憶部
36    コンピュータ
38    クライアント端末
40    航空会社システム
50    検索条件指定画面
52    許容行き先空港の選択欄
54    空港ボタン
56    出発空港指定欄
58    出発日指定欄
60    出発時間帯指定欄
62    帰還日指定欄
64    帰還時間帯指定欄
66    人数指定欄
68    検索ボタン
72    検索結果提示画面
74    行き先空港候補名
76    PR用コンテンツ
78    航空便候補リスト
80    「観光スポット」ボタン
82    「復路便確認」ボタン
84    「申込」ボタン
86    「戻る」ボタン
90    通常価格データ
91    空席確率データ
93    理論価格データ
94    戦略的調整値データ
95    修正価格データ
96    既発売の最低価格データ
97    販売価格データ
【図１】
0006037571.tif 000002
【図２】
0006037571.tif 000003
【図３】
0006037571.tif 000004
【図４】
0006037571.tif 000005
【図５】
0006037571.tif 000006